(57)【要約】【課題】非ＩＰネットワークの端末に変更を加えることなく、非ＩＰネットワークにおいて通信帯域の不足や大幅な時間遅延を生じさせずに、ＩＰネットワークと非ＩＰネットワークとの間で情報の変換を行うこと。【解決手段】変換テーブルメモリ２０６は、通信相手及び伝送コンテンツ毎に変換テーブルを保存する。ヘッダ作成部２０５は、変換テーブルの中から、通信相手選択部２０３から出力されたアドレスを示す情報及び伝送コンテンツ選択部２０４から出力された伝送コンテンツの種類を示す情報に対応するものを選択する。ヘッダ作成部２０５は、選択した変換テーブルの内容を参照して、非ネットワークの信号の制御信号部分を作成する。合成部２０７は、分離部２０２から出力されたデータを所定の長さに分割し、分割したデータとヘッダ作成部２０５が作成した制御信号部分とを合成して非ＩＰネットワークの情報信号を生成する。【選択図】図２
2010239420.tif 000002
【特許請求の範囲】
【請求項１】
ＩＰ（Internet Protocol）ネットワークと非ＩＰネットワークとの間で情報の変換を行う変換機であって、
ＩＰパケットのヘッダの各パラメータと非ＩＰネットワークの信号の制御信号部分の各パラメータとの間の対応関係を示す変換テーブルを保存する変換テーブルメモリと、
前記変換テーブルを参照して、前記ＩＰパケットのヘッダ情報から前記非ＩＰネットワークの信号の制御信号部分を作成するヘッダ作成手段と、
を具備する変換機。
【請求項２】
入力したＩＰパケットのヘッダ情報から前記ＩＰパケットの通信相手を選択する通信相手選択手段と、
前記ＩＰパケットのヘッダ情報から伝送コンテンツを選択する伝送コンテンツ選択手段と、を具備し、
前記変換テーブルメモリは、通信相手、通信を行うグループ毎に変換テーブルを保存し、
前記ヘッダ作成手段は、前記通信相手選択手段が選択した通信相手及び前記伝送コンテンツ選択手段が選択した伝送コンテンツに対応する変換テーブルを参照して、非ＩＰネットワークの信号の制御信号部分を作成する、
請求項１記載の変換機。
【請求項３】
前記通信相手選択手段は、入力した非ＩＰネットワークの信号の制御信号部分から前記非ＩＰネットワークの信号の通信相手を選択し、
前記伝送コンテンツ選択手段は、前記非ＩＰネットワークの信号の制御信号部分から伝送コンテンツを選択し、
前記ヘッダ作成手段は、前記通信相手選択手段が選択した通信相手及び前記伝送コンテンツ選択手段が選択した伝送コンテンツに対応する変換テーブルを参照して、ＩＰパケットのヘッダ情報を作成する、
請求項２記載の変換機。
【請求項４】
前記ＩＰパケットのデータを所定の長さに分割し、分割したデータと前記ヘッダ作成手段が作成した制御信号部分を合成して非ＩＰネットワークの信号を生成する第１合成手段を具備する、請求項２記載の変換機。
【請求項５】
無線規格に適合する制限時間内であれば、前記第１合成手段から出力された信号を非ＩＰネットワークに出力し、無線規格に適合する制限時間を超えている場合には、前記第１合成手段から出力された信号を廃棄する送信可否判定手段を具備する請求項４記載の変換機。
【請求項６】
前記非ＩＰネットワークの信号のデータを所定の長さに連結し、連結したデータと前記ヘッダ作成手段が作成したヘッダ情報を合成してＩＰパケットを生成する第２合成手段を具備する、請求項３記載の変換機。
【請求項７】
通信規格に適合するタイミングで、前記第２合成手段から出力されたＩＰパケットをＩＰネットワークに出力する送信タイミング制御手段を具備する請求項６記載の変換機。
【請求項８】
ＩＰ（Internet Protocol）ネットワークと非ＩＰネットワークとの間で情報の変換を行う情報変換方法であって、
入力したＩＰパケットのヘッダ情報から前記ＩＰパケットの通信相手を選択する通信相手選択工程と、
前記ＩＰパケットのヘッダ情報から伝送コンテンツを選択する伝送コンテンツ選択工程と、
通信相手、通信を行うグループ毎に、ＩＰパケットのヘッダの各パラメータと非ＩＰネットワークの信号の制御信号部分の各パラメータとの間の対応関係を示す変換テーブルを保存する変換テーブルメモリの中から、前記通信相手選択手段が選択した通信相手及び前記伝送コンテンツ選択手段が選択した伝送コンテンツに対応する変換テーブルを選択する変換テーブル選択工程と、
前記選択した変換テーブルを参照して、前記ＩＰパケットのヘッダ情報から前記非ＩＰネットワークの信号の制御信号部分を作成するヘッダ作成工程と、
を具備する情報変換方法。
【発明の詳細な説明】
【技術分野】
【０００１】
本発明は、ＩＰ（Internet Protocol）ネットワークと非ＩＰネットワークとの間で情報の変換を行う変換機及び情報変換方法に関する。
【背景技術】
【０００２】
近年のインターネット機器の普及に伴い、インターネット（ＩＰネットワーク）上でマルチキャスト通信を実現するＩＰマルチキャスト通信の開発が行われている。例えば、特許文献１には、ＩＰマルチキャスト通信を使用することにより、ＴＣＰ（Transmission Control Protocol）／ＩＰ上でのビデオグループ会議などのグループ通信サービスを実現するグループ通信方法が開示されている。
【０００３】
また、ＩＰマルチキャスト通信が開発される以前から、インターネットを使用しない非ＩＰネットワークにおけるマルチキャスト通信も普及している。
【０００４】
なお、マルチキャスト通信とは、ネットワークに接続された通信装置の内、一部の通信装置のグループに対してデータを一斉送信する手法である。マルチキャスト通信は、グループに加入した各ユーザがパケットを複製することなくセッションのコンテンツを同時に取得することができ、それによりネットワーク帯域幅の利用を最適化できるため、グループコミュニケーションにとって最も適した技術である。
【特許文献１】特開平１０−３３６１７６号公報
【発明の開示】
【発明が解決しようとする課題】
【０００５】
しかしながら、ＩＰ（無線）ネットワーク端末と非ＩＰネットワークのマルチキャストグループをインターネットで結ぶシステムや、非ＩＰネットワークの複数のマルチキャストグループ間をインターネットで結ぶシステムは、これまで存在していない。
【０００６】
ＩＰネットワークは、最大通信容量が非常に大きく、情報を圧縮して多量のデータを高速で送信することができるが（数Mbps）、非ＩＰネットワークは、ＩＰネットワークに比べて最大通信容量が非常に小さく、伝送レートが低い（数〜数十kbps）。
【０００７】
したがって、単純に、ＩＰネットワークと非ＩＰネットワークとを接続して、ＩＰネットワークの情報（ＩＰパケット）を、そのまま非ＩＰネットワークのマルチキャストグループに送信すると、ＩＰパケットのヘッダ部分の情報量が大きいために、非ＩＰネットワークにおいて通信帯域の不足や大幅な時間遅延が生じてしまう。
【０００８】
本発明はかかる点に鑑みてなされたものであり、非ＩＰネットワークの端末に変更を加えることなく、非ＩＰネットワークにおいて通信帯域の不足や大幅な時間遅延を生じさせずに、ＩＰネットワークと非ＩＰネットワークとの間で情報の変換を行うことができる変換機及び情報変換方法を提供することを目的とする。
【課題を解決するための手段】
【０００９】
本発明の変換機は、ＩＰ（Internet Protocol）ネットワークと非ＩＰネットワークとの間で情報の変換を行う変換機であって、ＩＰパケットのヘッダの各パラメータと非ＩＰネットワークの信号の制御信号部分の各パラメータとの間の対応関係を示す変換テーブルを保存する変換テーブルメモリと、前記変換テーブルを参照して、前記ＩＰパケットのヘッダ情報から前記非ＩＰネットワークの信号の制御信号部分を作成するヘッダ作成手段と、を具備する構成を採る。
【００１０】
本発明の情報変換方法は、ＩＰ（Internet Protocol）ネットワークと非ＩＰネットワークとの間で情報の変換を行う情報変換方法であって、入力したＩＰパケットのヘッダ情報から前記ＩＰパケットの通信相手を選択する通信相手選択工程と、前記ＩＰパケットのヘッダ情報から伝送コンテンツを選択する伝送コンテンツ選択工程と、通信相手、通信を行うグループ毎に、ＩＰパケットのヘッダの各パラメータと非ＩＰネットワークの信号の制御信号部分の各パラメータとの間の対応関係を示す変換テーブルを保存する変換テーブルメモリの中から、前記通信相手選択手段が選択した通信相手及び前記伝送コンテンツ選択手段が選択した伝送コンテンツに対応する変換テーブルを選択する変換テーブル選択工程と、前記選択した変換テーブルを参照して、前記ＩＰパケットのヘッダ情報から前記非ＩＰネットワークの信号の制御信号部分を作成するヘッダ作成工程と、を具備する方法を採る。
【発明の効果】
【００１１】
本発明によれば、通信相手、通信を行うグループ毎に、ＩＰパケットのヘッダの各パラメータと非ＩＰネットワークの信号の制御信号部分の各パラメータとの間の対応関係を示す変換テーブルを用意し、選択した変換テーブルを参照して、ＩＰパケットのヘッダ情報から前記非ＩＰネットワークの信号の制御信号部分を作成することにより、非ＩＰネットワークの端末に変更を加えることなく、非ＩＰネットワークにおいて通信帯域の不足や大幅な時間遅延を生じさせずに、ＩＰネットワークと非ＩＰネットワークとの間で情報の変換を行うことができる。
【発明を実施するための最良の形態】
【００１２】
以下、本発明の実施の形態について図面を参照して詳細に説明する。
【００１３】
（実施の形態１）
１．１  システム構成
図１は、本発明の一実施の形態に係るシステムの構成を示す図である。図１に示すシステムは、ＩＰネットワーク接続端末１０１と、ＩＰネットワーク端末１０２と、ＩＰ無線ネットワーク端末１０３と、非ＩＰ−Ａ（アナログ）型無線基地・端末１１１と、非ＩＰ−Ａ型無線端末１１２と、非ＩＰ−Ｄ（ディジタル）型無線基地・端末１２１と、非ＩＰ−Ｄ型無線端末１２２と、を有する。
【００１４】
図１において、ＩＰネットワーク接続端末１０１、ＩＰネットワーク端末１０２及びＩＰ無線ネットワーク端末１０３によりＩＰネットワークが構成される。また、非ＩＰ−Ａ型無線基地・端末１１１及び非ＩＰ−Ａ型無線端末１１２によりアナログ通信の非ＩＰネットワークが構成される。また、非ＩＰ−Ｄ型無線基地・端末１２１及び非ＩＰ−Ｄ型無線端末１２２によりディジタル通信の非ＩＰネットワークが構成される。
【００１５】
ＩＰネットワーク接続端末１０１は、ＩＰネットワーク端末１０２との間で、ＩＰによる有線通信を行う。また、ＩＰネットワーク接続端末１０１は、ＩＰ無線ネットワーク端末１０３との間で、ＩＰによる無線通信を行う。なお、ＩＰネットワーク接続端末１０１は、複数のＩＰネットワーク端末１０２及び複数のＩＰ無線ネットワーク端末１０３との間で同時に通信を行うことができ、マルチキャスト通信を行うことができる。
【００１６】
非ＩＰ−Ａ型無線基地・端末１１１は、非ＩＰ−Ａ型無線端末１１２との間で、トランシーバーに代表されるような、ＩＰによらないアナログの無線通信を行う。なお、非ＩＰ−Ａ型無線基地・端末１１１は、複数の非ＩＰ−Ａ型無線端末１１２との間で同時に通信を行うことができ、マルチキャスト通信を行うことができる。
【００１７】
非ＩＰ−Ｄ型無線基地・端末１２１は、非ＩＰ−Ｄ型無線端末１２２との間で、携帯電話に代表されるような、ＩＰによらないディジタルの無線通信を行う。なお、非ＩＰ−Ｄ型無線基地・端末１２１は、複数の非ＩＰ−Ｄ型無線端末１２２との間で同時に通信を行うことができ、マルチキャスト通信を行うことができる。
【００１８】
非ＩＰ−Ａ型無線基地・端末１１１及び非ＩＰ−Ｄ型無線基地・端末１２１は、変換機２００を搭載し、変換機２００を介して、ＩＰネットワーク接続端末１０１と、インターネット（ＩＰネットワーク）上で通信を行う。
【００１９】
変換機２００は、ＩＰネットワーク接続端末１０１から出力されたＩＰネットワークの情報（ＩＰパケット）のヘッダ部分を、非ＩＰネットワークの信号の制御信号部分に変換し、非ＩＰネットワークの信号を非ＩＰネットワークの端末１１２（１２２）に送信する。また、変換機２００は、非ＩＰネットワークの端末１１２（１２２）から出力された非ＩＰネットワークの信号の制御信号部分を、ＩＰパケットのヘッダに変換し、ＩＰパケットをＩＰネットワーク接続端末１０１に送信する。
【００２０】
なお、非ＩＰネットワークの信号の制御信号部分とは、アナログ通信の場合、ＤＣＳ（Digital Code Squelch）等の事前通信情報、選択された周波数、音声信号に重畳されるＴｏｎｅ信号等であり、ディジタル通信の場合、ヘッダ部分である。
【００２１】
１．２  変換機の内部構成
図２は、本発明の一実施の形態に係る変換機の構成を示すブロック図である。図１に示す変換機２００は、インタフェース２０１と、分離部２０２と、通信相手選択部２０３と、伝送コンテンツ選択部２０４と、ヘッダ作成部２０５と、変換テーブルメモリ２０６と、合成部２０７と、送信可否判定部２０８と、インタフェース２０９と、分離部２１０と、合成部２１１と、送信タイミング制御部２１２と、から主に構成される。
【００２２】
インタフェース２０１は、ＩＰネットワーク接続端末１０１から送信された情報パケットを入力し、分離部２０２に出力する。また、インターェース２０１は、送信タイミング制御部２１２から出力されたＩＰパケットをＩＰネットワーク接続端末１０１に送信する。
【００２３】
分離部２０２は、インタフェース２０１から出力されたＩＰネットワークの情報（ＩＰパケット）をヘッダ部分とデータ部分とに分離し、ヘッダを通信相手選択部２０３及び伝送コンテンツ選択部２０４に出力し、データを合成部２０７に出力する。
【００２４】
通信相手選択部２０３は、分離部２０２から出力されたＩＰパケットのヘッダから、パケットを届ける相手先のアドレス（ＭＡＣアドレス、ＩＰアドレス）を読み取り、このアドレスが、変換機２００が属する非ＩＰネットワークのマルチキャストグループのアドレスとして変換テーブルメモリ２０６の変換テーブルに登録されているか否かを確認する。そして、通信相手選択部２０３は、アドレスが登録されている場合には、このアドレスを示す情報をヘッダ作成部２０５に出力する。一方、通信相手選択部２０３は、アドレスが登録されていない場合には、その旨を示す情報をヘッダ作成部２０５及び合成部２０７に出力する。
【００２５】
また、通信相手選択部２０３は、分離部２１０から出力された非ネットワークの信号の制御信号部分から、ＩＰパケットを届ける相手先のアドレスを特定し、このアドレスが、変換機２００が属する非ＩＰネットワークのマルチキャストグループのアドレスとして変換テーブルメモリ２０６の変換テーブルに登録されているか否かを確認する。そして、通信相手選択部２０３は、アドレスが登録されている場合には、このアドレスを示す情報をヘッダ作成部２０５に出力する。一方、通信相手選択部２０３は、アドレスが登録されていない場合には、その旨を示す情報をヘッダ作成部２０５及び合成部２１１に出力する。
【００２６】
伝送コンテンツ選択部２０４は、分離部２０２から出力されたＩＰパケットのヘッダから、データの伝送コンテンツの種類（音声通信又はデータ通信）を読み取り、読み取った伝送コンテンツの種類を示す情報をヘッダ作成部２０５に出力する。
【００２７】
また、伝送コンテンツ選択部２０４は、分離部２１０から出力された非ネットワークの信号の制御信号部分から、データの伝送コンテンツの種類（音声通信又はデータ通信）を読み取り、読み取った伝送コンテンツの種類を示す情報をヘッダ作成部２０５に出力する。
【００２８】
ヘッダ作成部２０５は、変換テーブルメモリ２０６に保存されている変換テーブルの中から、通信相手選択部２０３から出力されたアドレスを示す情報及び伝送コンテンツ選択部２０４から出力された伝送コンテンツの種類を示す情報に対応するものを選択する。そして、ヘッダ作成部２０５は、選択した変換テーブルの内容を参照して、非ネットワークの信号の制御信号部分を作成して合成部２０７に出力する、あるいは、ＩＰパケットのヘッダを作成して合成部２１１に出力する。なお、ヘッダ作成部２０５は、通信相手選択部２０３からアドレスが登録されていない旨を示す情報を入力した場合には何も動作しない。
【００２９】
変換テーブルメモリ２０６は、通信相手（マルチキャスト通信を行うグループを含む）及び伝送コンテンツ毎に変換テーブルを保存する。変換テーブルには、ＩＰパケットのヘッダの各パラメータ、非ネットワークの信号の制御信号部分の各パラメータ、及び、ＩＰパケットのヘッダの各パラメータと非ネットワークの信号の制御信号部分の各パラメータとの対応関係が登録されている。なお、変換テーブルメモリ２０６に保存される変換テーブル及びヘッダ作成部２０５におけるヘッダ作成処理の詳細については後述する。
【００３０】
合成部２０７は、分離部２０２から出力されたデータを所定の長さに分割し、分割したデータとヘッダ作成部２０５から出力された制御信号部分とを合成して非ＩＰネットワークの情報信号を生成し、送信可否判定部２０８に出力する。なお、合成部２０７は、通信相手選択部２０３からアドレスが登録されていない旨を示す情報を入力した場合には何も動作しない。なお、合成部２０７における合成処理の詳細は後述する。
【００３１】
送信可否判定部２０８は、無線規格に適合する制限時間内であれば、合成部２０７から出力された信号をインタフェース２０９に出力する。一方、送信可否判定部２０８は、無線規格に適合する制限時間を超えている場合には、合成部２０７から出力された信号を廃棄する。
【００３２】
インタフェース２０９は、非ＩＰネットワークの端末１１２（１２２）から送信された信号を入力し、分離部２１０に出力する。また、インターェース２０９は、送信可否判定部２０８から出力された信号を非ＩＰネットワークの端末１１２（１２２）に送信する。
【００３３】
分離部２１０は、インタフェース２０９から出力された非ＩＰネットワークの信号をヘッダ部分とデータ部分とに分離し、非ネットワークの信号の制御信号部分を通信相手選択部２０３及び伝送コンテンツ選択部２０４に出力し、データを合成部２１１に出力する。
【００３４】
合成部２１１は、分離部２１０から出力されたデータを所定の長さに連結し、連結したデータとヘッダ作成部２０５から出力されたヘッダとを合成してＩＰパケットを生成し、送信タイミング制御部２１２に出力する。なお、合成部２１１は、通信相手選択部２０３からアドレスが登録されていない旨を示す情報を入力した場合には何も動作しない。なお、合成部２１１における合成処理の詳細は後述する。
【００３５】
送信タイミング制御部２１２は、通信規格に適合するタイミングで、合成部２１１から出力されたＩＰパケットをインタフェース２０１に出力する。
【００３６】
１．３  ヘッダ作成処理の具体的説明
次に、変換テーブルメモリ２０６に保存される変換テーブル及びヘッダ作成部２０５におけるヘッダ作成処理について、図３を用いて具体的に説明する。図３は、変換テーブルメモリ２０６に保存される変換テーブルの一例を示す図である。図３Ａ及び図３Ｂは、ＩＰネットワークと非ＩＰ−Ａ型無線ネットワークとの変換テーブルを示し、図３Ｃは、ＩＰネットワークと非ＩＰ−Ｄ型無線ネットワークとの変換テーブルを示す。図３Ａと図３Ｂとは、対応付け・変換の欄のみが異なる。図３Ａの対応付け・変換の欄は、伝送コンテンツの種類がデータ通信の場合を示し、図３Ｂの対応付け・変換の欄は、伝送コンテンツの種類が音声通信の場合を示す。また、図３Ｃの対応付け・変換の欄は、伝送コンテンツの種類が音声通信の場合を示す。
【００３７】
通信相手選択部２０３において、ＩＰパケットのヘッダのＭＡＣアドレス、ＩＰアドレスが、図３Ａの変換テーブルのＭＡＣアドレス、ＩＰアドレスと同一であると確認され、かつ、伝送コンテンツ選択部２０４において、伝送コンテンツの種類がデータ通信であることが読み取られた場合、ヘッダ作成部２０５は、図３Ａの変換テーブルに従って、非ＩＰネットワークのアナログ通信用のヘッダに相当する情報を作成する。
【００３８】
具体的には、ヘッダ作成部２０５は、ＭＡＣアドレス、ＩＰアドレスに対応するトーンを選択し、Ｔｏｎｅ信号を生成する。また、ヘッダ作成部２０５は、ＵＤＰ（User Datagram Protocol）に対応するみなし音声データをＴｏｎｅ信号に重畳する。
【００３９】
また、ヘッダ作成部２０５は、通信方式としてＦＭ（Frequency Modulation）を選択し、ＩＰ側音声コーディックとしてＡＤＰＣＭ（Adaptive Differential Pulse Code Modulation）を選択し、ＦＭ変調方式に対応するリアルタイム音声、８kHz変換を選択し、ＦＭの通信規格に対応するように帯域制限を１２．５kHzに選択する。そして、ヘッダ作成部２０５は、これらの選択した情報を合成部２０７に指示する。
【００４０】
また、通信相手選択部２０３において、非ＩＰネットワークのアナログ通信用のヘッダに相当する情報のトーンが、図３Ａの変換テーブルの低周波トーンと同一であると確認され、かつ、伝送コンテンツ選択部２０４において、伝送コンテンツの種類がデータ通信であることが読み取られた場合、ヘッダ作成部２０５は、図３Ａの変換テーブルに従って、ＩＰパケットのヘッダを作成する。
【００４１】
具体的には、ヘッダ作成部２０５は、トーンに対応するＭＡＣアドレス、ＩＰアドレスを選択し、グループに適応するマルチキャスト情報を選択する。そして、これらの情報を持つヘッダを作成する。
【００４２】
また、ヘッダ作成部２０５は、通信方式としてＦＭを選択し、ＩＰ側音声コーディックとしてＡＤＰＣＭを選択し、受信ＦＭ復調信号をＡＤＰＣＭ方式で量子化して通信規格対応のパケットサイズにブロック化するように合成部２１１に指示する。
【００４３】
なお、通信相手選択部２０３において、ＩＰパケットのヘッダのＭＡＣアドレス、ＩＰアドレスが、図３Ｂの変換テーブルのＭＡＣアドレス、ＩＰアドレスと同一であると確認され、かつ、伝送コンテンツ選択部２０４において、伝送コンテンツの種類が音声通信であることが読み取られた場合、ヘッダ作成部２０５は、図３Ｂの変換テーブルに従って、非ＩＰネットワークのアナログ通信用のヘッダに相当する情報を作成する。
【００４４】
また、通信相手選択部２０３において、ＩＰパケットのヘッダのＭＡＣアドレス、ＩＰアドレスが、図３Ｃの変換テーブルのＭＡＣアドレス、ＩＰアドレスと同一であると確認され、かつ、伝送コンテンツ選択部２０４において、伝送コンテンツの種類が音声通信であることが読み取られた場合、ヘッダ作成部２０５は、図３Ｃの変換テーブルに従って、非ＩＰネットワークのアナログ通信用のヘッダに相当する情報を作成する。
【００４５】
１．４  合成処理の具体的説明
次に、合成部２０７及び合成部２１１における合成処理について、図４を用いて具体的に説明する。図４は、ＩＰパケット、非ＩＰネットワークの情報のフレームフォーマットを示す図である。図４ＡはＩＰパケットのフレームフォーマットを示し、図４Ｂは非ＩＰ−Ａ型無線ネットワークのフレームフォーマットを示し、図４Ｃは非ＩＰ−Ｄ型無線ネットワークのフレームフォーマットを示す。
【００４６】
図４Ａに示すように、ＩＰパケットのフレームは、Payload（データ部分）の前に、ヘッダが付加される。ヘッダは、物理層のヘッダ（ＰＨＹ−Ｉ）、ＭＡＣ層のヘッダ（ＭＡＣ）、インターネット層のヘッダ（ＩＰ）、トランスポート層のヘッダ（ＴＣＰ  ｏｒ  ＵＤＰ）に分けられる。各層のヘッダは、送信先における同一層とやり取りするための制御信号が格納される。
【００４７】
図５は、ＭＡＣ層のヘッダのフレームフォーマットを示す図である。図５に示すように、ＭＡＣ層のヘッダの制御信号は、５６＋８＋４８＋４８＋１６＋３２＝３０２bitである。
【００４８】
図６は、ＴＣＰヘッダのフレームフォーマットを示す図であり、図７は、ＵＤＰヘッダのフレームフォーマットを示す図である。ＩＰヘッダとＴＣＰヘッダを併せた制御信号は１６０bitであり、ＩＰヘッダとＵＤＰヘッダを併せた制御信号は６４bitである。
【００４９】
このように、ＩＰパケットは、大きなヘッダ情報を有する。これを、最大通信容量が非常に小さく、伝送レートが低い非ＩＰネットワークにそのまま長そうとすると、ヘッダ情報等によるオーバーヘッドが大きいため、通信帯域の不足や大幅な時間遅延が生じてしまう。
【００５０】
そこで、本実施の形態では、ヘッダ作成部２０５において非ネットワークの信号の制御信号部分を作成し、合成部２０７において制御信号部分とデータとを合成する。なお、合成部２０７は、必要に応じてデータの加工（例えば、データを一度汎用的な形にして、次に規格に適合した形にすること）を行った後、制御信号部分とデータとを合成する。
【００５１】
具体的には、非ＩＰ−Ａ型無線ネットワークでは、図４Ｂに示すように、例えばＦＭ等の音声の前にＤＣＳを付加したり、Ｔｏｎｅ信号を重畳したりする。また、非ＩＰ−Ｄ型無線ネットワークでは、図４Ｂに示すように、データの前に、物理層のヘッダ（ＰＨＹ−Ｄ）、ＭＡＣ層のヘッダ（Ｍ：４８bit）を付加する。
【００５２】
なお、合成部２１１は、ヘッダ作成部２０５においてＩＰパケットのヘッダが作成された場合に、図４Ａに示すように、ＩＰパケットのヘッダとデータとを合成する。
【００５３】
１．５  本実施の形態の効果
このように、本実施の形態によれば、通信相手、通信を行うグループ毎に、ＩＰパケットのヘッダの各パラメータと非ＩＰネットワークの信号の制御信号部分の各パラメータとの間の対応関係を示す変換テーブルを用意し、選択した変換テーブルを参照して、ＩＰパケットのヘッダ情報から前記非ＩＰネットワークの信号の制御信号部分を作成することにより、非ＩＰネットワークの端末に変更を加えることなく、非ＩＰネットワークにおいて通信帯域の不足や大幅な時間遅延を生じさせずに、ＩＰネットワークと非ＩＰネットワークとの間で情報の変換を行うことができる。
【産業上の利用可能性】
【００５４】
本発明は、ＯＦＤＭ伝送方式の移動体通信に用いられる基地局装置、端末装置及び中継局装置に用いるに好適である。
【図面の簡単な説明】
【００５５】
【図１】本発明の一実施の形態に係るシステムの構成を示す図
【図２】本発明の一実施の形態に係る変換機の構成を示すブロック図
【図３】本発明の一実施の形態に係る変換機の変換テーブルメモリに保存される変換テーブルの一例を示す図
【図４】本発明の一実施の形態に係る変換機に入力されるＩＰパケット、非ＩＰネットワークの情報のフレームフォーマットを示す図
【図５】ＭＡＣ層のヘッダのフレームフォーマットを示す図
【図６】ＴＣＰヘッダのフレームフォーマットを示す図
【図７】ＵＤＰヘッダのフレームフォーマットを示す図
【符号の説明】
【００５６】
１０１  ＩＰネットワーク接続端末
１０２  ＩＰネットワーク端末
１０３  ＩＰ無線ネットワーク端末
１１１  非ＩＰ−Ａ（アナログ）型無線基地・端末
１１２  非ＩＰ−Ａ型無線端末
１２１  非ＩＰ−Ｄ（ディジタル）型無線基地・端末
１２２  非ＩＰ−Ｄ型無線端末
２００  変換機
２０１、２０９  インタフェース
２０２、２１０  分離部
２０３  通信相手選択部
２０４  伝送コンテンツ選択部
２０５  ヘッダ作成部
２０６  変換テーブルメモリ
２０７、２１１  合成部
２０８  送信可否判定部
２１２  送信タイミング制御部
【図１】
2010239420.tif 000003
【図２】
2010239420.tif 000004
【図３】
2010239420.tif 000005
【図４】
2010239420.tif 000006
【図５】
2010239420.tif 000007
【図６】
2010239420.tif 000008
【図７】
2010239420.tif 000009